(57)【要約】【課題】手提げ、肩掛け兼用バッグにて吊り下げ帯を常設する場合、肩掛から手提げに切り替えた際、吊り下げ帯が垂れ下がる事により歩行の妨げとなる。この様な場合に備え、吊り下げ帯が成り行きのまま垂れ下がることを防ぎ、人手を煩わす事無く自然に一定の場所に集める事ができる手段を講じる。【解決手段】手放し状態としたときに小径のロール状、またはＵ字状に巻き戻る力を有する帯状主体を吊り下げ帯の片面に取り付ける事により、肩から吊り下げ帯が外れると両端からの張力が無くなり、その帯状体が取り付けられた面が円、またはＵ字を描く事により、適宜個所にまとめる事が出来、その結果歩行の阻害要素を取り除く事が可能となる。【選択図】　　　　　　　図４
2004089596.tif 000002
【特許請求の範囲】
【請求項１】
バッグ等の携帯物に設けられたショルダーベルト等の吊り下げ帯（以下『ショルダーベルト』と言う）に対し接続可能とした帯状が、手放し状態としたときに小径のロール状、またはＵ字状（帯状主体の、適宜箇所にて１３５度以上の角度で折り返した物を言う）に巻き戻る力を有する帯状主体。
【発明の詳細な説明】
【０００１】
【発明の属する技術分野】
ショルダーバッグ・リュックサック等において肩からショルダーベルトをはずす事により、不要となったショルダーベルトを人手の介入なしで適宜個所にまとめることに関する。
【０００２】
【従来の技術】
ショルダーベルトをテーマとした技術に関し、引掛け金具等により着脱自在としたものは数多く知られているが、ベルトの要、不要に関しどちらかの状態が継続されるという条件下で効力を発揮するものであって、都度変化する要、不要と言った事態に耐えられるものではない。
【０００３】
また、垂れ下がってしまうショルダーベルトが邪魔にならない様に携帯物に接続したまま、一部分をバッグに収納したり、取っ手と一緒に持つなど原始的な方法で対処しているのが実状である。
【０００４】
【発明が解決しようとする課題】
携帯物のショルダーベルトを連続した接続状態とする場合、肩に掛けていたものを手提げに切り替える際には、ショルダーベルトが垂れ下がる事により歩行の妨げとなる。
この様な状態にならないように、ショルダーベルトが成り行きのまま垂れ下がることを防ぎ、人手を煩わす事無く、自然に一定の場所に集める為の手段を講じる。
【０００５】
【課題を解決するための手段】
手放し状態としたときに小径のロール状、またはＵ字状に巻き戻る力を有するギャザー帯をショルダーベルトの片面に取り付けると、肩からショルダーベルトが外れる事により両端からの張力がなくなり、ギャザー帯の取り付けられた面が手を煩わす事無く円、またはＵ字を描く。その結果適宜個所にまとめられ、歩行の阻害要素となるショルダーベルトの垂れ下がりをなくする事が出来る。
【０００６】
【発明の実施の形態】
携帯物に接続されているショルダーベルトが使用される際の長さは、使用者の背丈、または好みにより異なるであろうが通常の場合、約８５ｃｍ前後と推定される。
上記の場合で携帯物の横幅が４０ｃｍとし、且つ両端に接続されていたとして、垂れ下がりを防止するには約４５ｃｍ程を適宜個所にまとめればよい。
【０００７】
上記条件下での実施方法として一例をあげると、ショルダーベルトの両端に近い部分にて各々直径約７ｃｍ程度の小さな円、またはＵ字を構成するギャザー帯の長さが２３ｃｍ程度のものを二箇所に接続する事により、ベルトが肩からはずれた場合は合計で約４５ｃｍ左右に集められ、残りが４０ｃｍとなるため設定位置でほぼ水平となって垂れ下がりを防止できる。
【０００８】
ロール状を形成するギャザー帯の場合は一巻前後が望ましい。なぜならばショルダーベルトの一箇所でも二重、三重に円を描くような事になれば、不要から要となった際にベルトが絡み、肩掛けへの移行がスムーズに行われなくなる。
【０００９】
図３は上記実施例の如く、ショルダーベルトが要から不要となった際に人手の介入無しで円を描きバンドの両端にまとめられた状態、また図４は同様にＵ字状にてまとめられた状態を示している。
【００１０】
【発明の効果】
ギャザー帯を布地または化学繊維等により包み込んだ上で接続可能とした場合、表面に色、図柄等のデザインを施すことにより、ショルダーベルト自体のファッションを楽しむことができる。
【００１１】
ショルダーベルトの要、不要への切り替えの際、携帯物への収納であるとか、取っ手と一緒に持つ等といった無駄な動作がはぶける事により精神的に余裕ができ、他への気配りであるとか、物事への集中力が増す事にもつながる。
【００１２】
着脱可能としたギャザー帯を提供する事により、すでに使用者によって利用されているショルダーベルトにも簡単に取り付けが出来る為、既存の物を廃棄する必要もなく環境問題にも貢献できる。
【図面の簡単な説明】
【図１】手放し状態とした時にロール状となるギャザー帯の斜視図
【図２】手放し状態とした時にＵ字状となるギャザー帯の斜視図
【図３】バッグに取り付けられたショルダーベルトが不要時の際、本発明のギャザー帯により円を描いてまとめられた正面図
【図４】バッグに取り付けられたショルダーベルトが不要時の際、本発明のギャザー帯によりＵ字状にまとめられた正面図
【図５】ショルダーベルトの片面にギャザー帯が接続された状態を示した正面図
【符号の説明】
１　バッグ（携帯物）本体
２　ショルダーベルト
３　ギャザー帯
【図１】
2004089596.tif 000003
【図２】
2004089596.tif 000004
【図３】
2004089596.tif 000005
【図４】
2004089596.tif 000006
【図５】
2004089596.tif 000007
【手続補正書】
【提出日】平成15年1月22日(2003.1.22)
【手続補正１】
【補正対象書類名】明細書
【補正対象項目名】特許請求の範囲
【補正方法】変更
【補正の内容】
【特許請求の範囲】
【請求項１】
バッグ等の携帯物に設けられたショルダーベルト等の吊り下げ帯（以下『ショルダーベルト』と言う）を適宜箇所で一定の位置に集めるべく、ショルダーベルトに対し重ね合わせる事により、手放し状態としたときに小径のロール状、またはＵ字状（帯状主体の、適宜箇所にて１３５度以上の角度で折り返した物を言う）に巻き戻る力を有する帯状主体（以下総称して『ギャザー帯』と言う）。
【手続補正２】
【補正対象書類名】明細書
【補正対象項目名】発明の詳細な説明
【補正方法】変更
【補正の内容】
【発明の詳細な説明】
【０００１】
【発明の属する技術分野】
ショルダーバッグ・リュックサック等において肩からショルダーベルトをはずす事により、不要となったショルダーベルトを人手の介入なしで適宜個所にまとめることに関する。
【０００２】
【従来の技術】
ショルダーベルトをテーマとした技術に関し、引掛け金具等により着脱自在としたものは数多く知られているが、ベルトの要、不要に関しどちらかの状態が継続されるという条件下で効力を発揮するものであって、都度変化する要、不要と言った事態に耐えられるものではない。
【０００３】
また、垂れ下がってしまうショルダーベルトが邪魔にならない様に携帯物に接続したまま、一部分をバッグに収納したり、取っ手と一緒に持つなど原始的な方法で対処しているのが実状である。
【０００４】
【発明が解決しようとする課題】
携帯物のショルダーベルトを連続した接続状態とする場合、肩に掛けていたものを手提げに切り替える際には、ショルダーベルトが垂れ下がる事により歩行の妨げとなる。
この様な状態にならないように、ショルダーベルトが成り行きのまま垂れ下がることを防ぎ、人手を煩わす事無く、自然に一定の場所に集める為の手段を講じる。
【０００５】
【課題を解決するための手段】
手放し状態としたときに小径のロール状、またはＵ字状に巻き戻る力を有するギャザー帯をショルダーベルトの片面に重ね合わせる事により、肩からショルダーベルトが外れると両端からの張力がなくなり、ギャザー帯の重ね合わされた面が自然に円、またはＵ字を描く。その結果適宜個所にまとめられ、歩行の阻害要素となるショルダーベルトの垂れ下がりをなくす事が出来る。
【０００６】
【発明の実施の形態】
携帯物に接続されているショルダーベルトが使用される際の長さは、使用者の背丈、または好みにより異なるであろうが通常の場合、約８５ｃｍ前後と推定される。
上記の場合で携帯物の横幅が４０ｃｍとし、且つバッグの両側面にショルダーベルトが接続されていたとして、垂れ下がりを防止するには約４５ｃｍ程を適宜個所にまとめればよい。
【０００７】
上記条件下での実施方法として一例をあげると、ショルダーベルトの両端に近い部分にて各々直径約７ｃｍ程度の小さな円、または長さが２３ｃｍ程度のＵ字を構成する本発明のギャザー帯を二箇所で重ね合わせる事により、ベルトが肩からはずれた場合は合計で約４６ｃｍ左右に集められ、残りが約４０ｃｍとなるため重合位置でほぼ水平となって垂れ下がりを防止できる。
【０００８】
ロール状を形成するギャザー帯の場合は一巻前後が望ましい。なぜならばショルダーベルトの一箇所でも二重、三重に円を描くような事になれば、不要から要となった際にベルトが絡み、肩掛けへの移行がスムーズに行われなくなる。
【０００９】
図３は上記実施例の如く、ショルダーベルトが要から不要となった際に人手の介入無しで円を描きベルトの両端にまとめられた状態、また図４は同様にＵ字状にてまとめられた状態を示している。
【００１０】
【発明の効果】
ギャザー帯を布地または化学繊維等により包み込んだ上で重ね合わせを可能とした場合、表面に色、図柄等のデザインを施すことにより、ショルダーベルト自体のファッションを楽しむことができる。
【００１１】
ショルダーベルトの要、不要への切り替えの際、携帯物への収納であるとか、取っ手と一緒に持つ等といった無駄な動作がはぶける事により精神的に余裕ができ、他への気配りであるとか、物事への集中力が増す事にもつながる。
【００１２】
ショルダーベルトが垂れ下がったまま歩行を継続する事により、混雑した中では他人の足に当り迷惑を掛けるとか、ショルダーベルトの垂れ下がりを回避するために歩行途中で立ち止まり後ろを歩いている人の邪魔になるというような状況の減少が考えられる。
【００１３】
着脱可能としたギャザー帯を提供する事により、すでに使用者によって利用されているショルダーベルトにも簡単に取り付けが出来る為、既存の物を廃棄する必要もなく環境問題も配慮されている。